(57)【要約】【課題】特別な対応を施すことなく汎用のＤＴＰ編集用アプリケーションを用いてバリアブル印刷用データを作成することができる画像処理装置および画像処理プログラムを提供する。【解決手段】順次差し替えられる部品（オブジェクト）の一覧を表わすオブジェクトテーブルをオブジェクトテーブル作成部５＿１１１で作成し、その部品の寸法と同一の寸法を持つ部品グループを作成してＥＰＳ／ＰＤＦファイル生成部５＿１１２で編集装置に渡し、編集されたレイアウト済みＰＤＦを編集済画像データ取得部５＿１１３で取得し、そのレイアウト済みＰＤＦにより表わされる編集済画像中の部品グループがオブジェクトテーブル中の各部品に差し替えられたバリアブル印刷用画像を表わすバリアブル印刷用画像データをバリアブル印刷用画像データ作成部５＿１１４で作成する。【選択図】　　　　図４
2004086281.tif 000002
【特許請求の範囲】
【請求項１】
一部分が差し替えられた複数のバリアブル印刷用画像を表わすバリアブル印刷用画像データを作成するバリアブル印刷処理装置において、
順次差し替えられるオブジェクトの一覧を表わすオブジェクトテーブルを取得するオブジェクトテーブル取得部と、
順次差し替えられるオブジェクトの寸法と同一の寸法を持つ差替え対象枠を作成して、画像を編集する編集装置に渡す差替え対象枠作成部と、
前記編集装置において編集された、前記差替え対象枠を含む編集済画像を表わす編集済画像データを取得する編集済画像データ取得部と、
前記編集済画像データ取得部で取得された編集済画像データにより表わされる編集済画像中の差替え対象枠が前記オブジェクトテーブル中の各オブジェクトに差し替えられたバリアブル印刷用画像を表わすバリアブル印刷用画像データを作成するバリアブル印刷用画像データ作成部とを備えたことを特徴とするバリアブル印刷処理装置。
【請求項２】
前記オブジェクトテーブル取得部は、前記オブジェクトテーブルを、同一オブジェクトの重複登録を許容して取得するものであることを特徴とする請求項１記載のバリアブル印刷処理装置。
【請求項３】
前記オブジェクトテーブル取得部は、前記オブジェクトテーブルを、オブジェクトの種類別に取得するものであり、
前記差替え対象枠作成部は、前記オブジェクトテーブル取得部により複数のオブジェクトテーブルが取得されたときに、これら複数のオブジェクトテーブルに対応する複数の差替え対象枠を作成して前記編集装置に渡すものであることを特徴とする請求項１記載のバリアブル印刷処理装置。
【請求項４】
プログラムを実行する情報処理装置により実行され、該情報処理装置を、一部分が差し替えられた複数のバリアブル印刷用画像を表わすバリアブル印刷用画像データを作成するバリアブル印刷処理装置として動作させるバリアブル印刷処理プログラムであって、
前記情報処理装置を、
順次差し替えられるオブジェクトの一覧を表わすオブジェクトテーブルを取得するオブジェクトテーブル取得部と、
順次差し替えられるオブジェクトの寸法と同一の寸法を持つ差替え対象枠を作成して、画像を編集する編集装置に渡す差替え対象枠作成部と、
前記編集装置において編集された、前記差替え対象枠を含む編集済画像を表わす編集済画像データを取得する編集済画像データ取得部と、
前記編集済画像データ取得部で取得された編集済画像データにより表わされる編集済画像中の差替え対象枠が前記オブジェクトテーブル中の各オブジェクトに差し替えられたバリアブル印刷用画像を表わすバリアブル印刷用画像データを作成するバリアブル印刷用画像データ作成部とを備えたバリアブル印刷処理装置として動作させることを特徴とするバリアブル印刷処理プログラム。
【請求項５】
前記オブジェクトテーブル取得部は、前記オブジェクトテーブルを、同一オブジェクトの重複登録を許容して取得するものであることを特徴とする請求項４記載のバリアブル印刷処理プログラム。
【請求項６】
前記オブジェクトテーブル取得部は、前記オブジェクトテーブルを、オブジェクトの種類別に取得するものであり、
前記差替え対象枠作成部は、前記オブジェクトテーブル取得部により複数のオブジェクトテーブルが取得されたときに、これら複数のオブジェクトテーブルに対応する複数の差替え対象枠を作成して前記編集装置に渡すものであることを特徴とする請求項４記載のバリアブル印刷処理プログラム。
【発明の詳細な説明】
【０００１】
【発明の属する技術分野】
本発明は、一部分が差し替えられた複数のバリアブル印刷用画像を表わすバリアブル印刷用画像データを作成するバリアブル印刷処理装置、および情報処理装置にローディングされてその情報処理装置を上記バリアブル印刷処理装置として動作させるバリアブル印刷処理プログラムに関する。
【０００２】
【従来の技術】
従来より、ダイレクトメールに代表されるように一部分が差し替えられた複数のバリアブル印刷用画像を表わすバリアブル印刷用画像データを作成するバリアブル印刷処理装置が知られている。バリアブル印刷用画像データの作成にあたっては、特殊なバリアブル印刷用のページ記述言語が定義される。バリアブル印刷処理装置は、この特殊なページ記述言語を用いてページ編集されたバリアブル印刷用画像の一部分を差し替えて、複数のバリアブル印刷用画像を表わすバリアブル印刷用画像データを作成する。作成されたバリアブル印刷用画像データは、上記特殊なページ記述言語を解釈することのできるＲＩＰ（Ｒａｓｔｅｒ　Ｉｍａｇｅ　Ｐｒｏｃｅｓｓｏｒ）装置に向けて出力され、そのＲＩＰ装置で印刷用のラスタイメージデータに変換されてプリンタに出力される。プリンタは、ラスタイメージデータからなる画像（網点画像）を、指定された印刷用紙に印刷する。このようにして、一部分が差し替えられた複数のバリアブル印刷用画像を複数枚の印刷用紙に印刷する。尚、プリンタとしては、必要な時に必要な情報を即座に印刷することができる、いわゆるオンデマンド印刷用プリンタ等が用いられる。
【０００３】
【発明が解決しようとする課題】
印刷業界ではパーソナルコンピュータ等を使って文書の編集や印刷を行なうＤＴＰ（Ｄｅｓｋ　Ｔｏｐ　Ｐｕｂｌｉｓｈｉｎｇ）システムが広く用いられている。このＤＴＰシステムでは、パーソナルコンピュータ等の編集用ワークステーション上で汎用の編集用ソフトウェア（ＤＴＰ編集用アプリケーション）を用いて、画像を表わす絵柄，テキスト，線画等のレイアウトを決める編集作業を汎用のページ記述言語（ＰＤＬ：Ｐａｇｅ　Ｄｅｓｃｒｉｐｔｉｏｎ　Ｌａｎｇｕａｇｅ）を使用して行ない、その結果をＰＳ（ＰｏｓｔＳｃｒｉｐｔ）データやＰＤＦ（Ｐｏｒｔａｂｌｅ　Ｄｏｃｕｍｅｎｔ　Ｆｏｒｍａｔ）データで出力し、それらのデータをＲＩＰ装置で印刷用のラスタイメージデータに変換して印刷するという作業が行なわれる。このようなＤＴＰシステムでバリアブル印刷用データを作成しようとすると、一般に市販されている各種の汎用のＤＴＰ編集用アプリケーションそれぞれを上記特殊なページ記述言語に対応させる必要があり、従って汎用性に乏しいという問題がある。
【０００４】
本発明は、上記事情に鑑み、特別な対応を施すことなく汎用のＤＴＰ編集用アプリケーションを用いてバリアブル印刷用データを作成することができる画像処理装置および画像処理プログラムを提供することを目的とする。
【０００５】
【課題を解決するための手段】
上記目的を達成する本発明のバリアブル印刷処理装置は、一部分が差し替えられた複数のバリアブル印刷用画像を表わすバリアブル印刷用画像データを作成するバリアブル印刷処理装置において、
順次差し替えられるオブジェクトの一覧を表わすオブジェクトテーブルを取得するオブジェクトテーブル取得部と、
順次差し替えられるオブジェクトの寸法と同一の寸法を持つ差替え対象枠を作成して、画像を編集する編集装置に渡す差替え対象枠作成部と、
上記編集装置において編集された、上記差替え対象枠を含む編集済画像を表わす編集済画像データを取得する編集済画像データ取得部と、
上記編集済画像データ取得部で取得された編集済画像データにより表わされる編集済画像中の差替え対象枠が上記オブジェクトテーブル中の各オブジェクトに差し替えられたバリアブル印刷用画像を表わすバリアブル印刷用画像データを作成するバリアブル印刷用画像データ作成部とを備えたことを特徴とする。
【０００６】
ここで、本発明のバリアブル印刷処理装置における上記オブジェクトテーブル取得部は、上記オブジェクトテーブルを、同一オブジェクトの重複登録を許容して取得するものであることが好ましい。
【０００７】
また、本発明のバリアブル印刷処理装置における上記オブジェクトテーブル取得部は、上記オブジェクトテーブルを、オブジェクトの種類別に取得するものであり、
上記差替え対象枠作成部は、上記オブジェクトテーブル取得部により複数のオブジェクトテーブルが取得されたときに、これら複数のオブジェクトテーブルに対応する複数の差替え対象枠を作成して上記編集装置に渡すものであることも好ましい態様である。
【０００８】
尚、本発明にいう「取得」とは、操作に応じて作成すること、予め作成して記憶しておいたテーブルを読み出すこと、外部で作成されたテーブルを受け取ること等が挙げられる。
【０００９】
また、上記目的を達成する本発明のバリアブル印刷処理プログラムは、プログラムを実行する情報処理装置により実行され、その情報処理装置を、一部分が差し替えられた複数のバリアブル印刷用画像を表わすバリアブル印刷用画像データを作成するバリアブル印刷処理装置として動作させるバリアブル印刷処理プログラムであって、
上記情報処理装置を、
順次差し替えられるオブジェクトの一覧を表わすオブジェクトテーブルを取得するオブジェクトテーブル取得部と、
順次差し替えられるオブジェクトの寸法と同一の寸法を持つ差替え対象枠を作成して、画像を編集する編集装置に渡す差替え対象枠作成部と、
上記編集装置において編集された、上記差替え対象枠を含む編集済画像を表わす編集済画像データを取得する編集済画像データ取得部と、
上記編集済画像データ取得部で取得された編集済画像データにより表わされる編集済画像中の差替え対象枠が上記オブジェクトテーブル中の各オブジェクトに差し替えられたバリアブル印刷用画像を表わすバリアブル印刷用画像データを作成するバリアブル印刷用画像データ作成部とを備えたバリアブル印刷処理装置として動作させることを特徴とする。
【００１０】
ここで、本発明のバリアブル印刷処理プログラムにおける上記オブジェクトテーブル取得部は、上記オブジェクトテーブルを、同一オブジェクトの重複登録を許容して取得するものであることが好ましい。
【００１１】
また、本発明のバリアブル印刷処理プログラムにおける上記オブジェクトテーブル取得部は、上記オブジェクトテーブルを、オブジェクトの種類別に取得するものであり、
上記差替え対象枠作成部は、上記オブジェクトテーブル取得部により複数のオブジェクトテーブルが取得されたときに、これら複数のオブジェクトテーブルに対応する複数の差替え対象枠を作成して上記編集装置に渡すものであることも好ましい態様である。
【００１２】
【発明の実施の形態】
以下、本発明の実施形態について説明する。
【００１３】
図１は、本発明のバリアブル印刷処理装置の一実施形態が組み込まれたシステムを示す図である。
【００１４】
図１には、編集装置１００と、情報処理装置１０と、ＲＩＰ装置２００とが示されている。ＲＩＰ装置２００には、モニタ２０１と、本体２０２と、プリンタ２０３とが備えられている。
【００１５】
編集装置１００は、ページレイアウトの編集を行なうパーソナルコンピュータであり、この編集装置１００には、汎用のＤＴＰ編集用アプリケーション（編集用ソフトウェア）が用いられる。
【００１６】
情報処理装置１０には、本発明のバリアブル印刷処理装置の一実施形態が組み込まれており、この情報処理装置１０に組み込まれたバリアブル印刷処理装置は、一部分が差し替えられた複数のバリアブル印刷用画像を表わすバリアブル印刷用画像データを作成するものであり、このバリアブル印刷処理装置には、オブジェクト（部品と称する）を表わす部品データＡ，Ｂ，Ｃが登録される。これら部品データＡ，Ｂ，Ｃの詳細や編集装置１００とのデータのやり取りについては後述する。
【００１７】
ＲＩＰ装置２００は、上記情報処理装置１０に組み込まれたバリアブル印刷処理装置で作成されたバリアブル印刷用画像データをモニタ２０１に表示したり、本体２０２で印刷用のラスタイメージデータに変換してプリンタ２０３に出力する。プリンタ２０３は、必要な時に必要な情報を即座に印刷することができる、いわゆるオンデマンド印刷用プリンタであり、このプリンタ２０３は、ラスタイメージデータからなる画像（網点画像）を印刷用紙に印刷する。
【００１８】
図２は、図１に示す情報処理装置のハードウェア構成図である。
【００１９】
この情報処理装置１０は、各種プログラムを実行するＣＰＵ１、ハードディスク装置３に格納されたプログラムが読み出されＣＰＵ１での実行のために展開される主メモリ２、各種プログラムやデータ等が保存されたハードディスク装置３、フレキシブルディスク４＿１が装填され、その装填されたフレキシブルディスク４＿１をアクセスするフレキシブルディスクドライブ４、ＣＤ−ＲＯＭ５＿１をアクセスするＣＤ−ＲＯＭドライブ５、図１に示す編集装置１００と接続され、その編集装置１００からの編集済画像データ（レイアウト済みＰＤＦデータ）を受け取る入力インタフェース６、ＲＩＰ装置２００と接続され、そのＲＩＰ装置２００にバリアブル印刷用画像データを送る出力インタフェース７が内蔵されており、これらの各種要素は、バス１５を介して相互に接続されている。
【００２０】
ここで、ＣＤ−ＲＯＭ５＿１には、この情報処理装置１０を本発明のバリアブル印刷処理装置の一実施形態として動作させるためのバリアブル印刷処理プログラムが記憶されており、そのＣＤ−ＲＯＭ５＿１はＣＤ−ＲＯＭドライブ５に装填され、そのＣＤ−ＲＯＭ５＿１に記憶されたバリアブル印刷処理プログラムがこの情報処理装置１０にアップロードされてハードディスク装置３に記憶される。このハードディスク装置３に記憶されたバリアブル印刷処理プログラムがこの情報処理装置１０内で実行されると、この情報処理装置１０が本発明のバリアブル印刷処理装置の一実施形態として動作する。
【００２１】
ここで、情報処理装置１０内で実行される、バリアブル印刷処理プログラム（本発明のバリアブル印刷処理プログラムの一実施形態に相当）について説明する。
【００２２】
図３は、本発明のバリアブル印刷処理プログラムの一実施形態が記憶されたＣＤ−ＲＯＭを示す概念図である。
【００２３】
図３に示すＣＤ−ＲＯＭ５＿１には、バリアブル印刷処理プログラム５＿１０が記憶されており、このバリアブル印刷処理プログラム５＿１０は、オブジェクトテーブル作成処理ルーチン部５＿１１、差替え対象枠作成処理ルーチン部５＿１２、編集済データ取得処理ルーチン部５＿１３、およびバリアブル印刷用画像データ作成処理ルーチン部５＿１４で構成されている。バリアブル印刷処理プログラム５＿１０の各部の細部については、本発明のバリアブル印刷理装置の一実施形態の各部の作用とあわせて説明する。
【００２４】
図４は、本発明のバリアブル印刷処理装置の一実施形態の構成を示す図である。
【００２５】
図４に示すバリアブル印刷処理装置５０には、オブジェクトテーブル作成部５＿１１１（本発明にいうオブジェクトテーブル取得部の一例）が備えられている。このオブジェクトテーブル作成部５＿１１１は、図３に示すオブジェクトテーブル作成処理ルーチン部５＿１１のプログラムの作用を受けて動作し、順次差し替えられるオブジェクト（部品）の一覧を表わすオブジェクトテーブルを操作に応じて作成する。詳細には、オブジェクトテーブル作成部５＿１１１は、オブジェクトテーブルを、同一オブジェクトの重複登録を許容して作成するものである。また、このオブジェクトテーブル作成部５＿１１１は、オブジェクトテーブルを、オブジェクトの種類別に作成するものでもある。尚、オブジェクトの種類別としては、画像、テキスト、グラフィック、ページ等がある。オブジェクトテーブル作成部５＿１１１で作成されたオブジェクトテーブルは、オブジェクトテーブル管理部５＿１１５で管理される。尚、オブジェクトテーブルの詳細や、そのオブジェクトテーブルを作成するための操作については後述する。
【００２６】
また、バリアブル印刷処理装置５０には、外部からのオブジェクト（部品）を表わす部品データＡ，Ｂ，Ｃ（図１参照）が登録され管理される部品データ管理部５＿１１６と、バリアブル印刷ページの部品の差替え部分に相当する部位である「部品グループ」（本発明にいう差替え対象枠に相当）を管理するための部品データ管理部５＿１１７が備えられている。
【００２７】
さらに、バリアブル印刷処理装置５０には、部品グループレイアウト用ＥＰＳ，ＰＤＦファイル生成部５＿１１２（以下、ＥＰＳ／ＰＤＦファイル生成部５＿１１２と記述する）が備えられている。このＥＰＳ／ＰＤＦファイル生成部５＿１１２は、本発明にいう差替え対象枠作成部に相当し、このＥＰＳ／ＰＤＦファイル生成部５＿１１２は、図３に示す差替え対象枠作成処理ルーチン部５＿１２のプログラムの作用を受けて動作し、順次差し替えられる部品の寸法と同一の寸法を持つ差替え対象枠を作成して、画像を編集する編集装置１００（図１参照）にレイアウトデータとして提供する。さらに、詳細には、ＥＰＳ／ＰＤＦファイル生成部５＿１１２は、オブジェクトテーブル作成部５＿１１１により複数のオブジェクトテーブルが作成されたときに、これら複数のオブジェクトテーブルに対応する複数の「部品グループ」を作成して編集装置１００に渡すものである。
【００２８】
また、バリアブル印刷処理装置５０には、編集済画像データ取得部５＿１１３が備えられている。この編集済画像データ取得部５＿１１３は、図３に示す編集済画像データ取得処理ルーチン部５＿１３のプログラムの作用を受けて動作し、編集装置１００において編集された、「部品グループ」を含む編集済画像を表わす編集済画像データであるレイアウト済みＰＤＦデータを取得する。
【００２９】
さらに、バリアブル印刷処理装置５０には、バリアブル印刷用画像データ作成部５＿１１４が備えられている。このバリアブル印刷用画像データ作成部５＿１１４は、図３に示すバリアブル印刷用画像データ作成処理ルーチン部５＿１４のプログラムの作用を受けて動作し、編集済画像データ取得部５＿１１３で取得されたレイアウト済みＰＤＦデータにより表わされる編集済画像中の「部品グループ」が上記オブジェクトテーブル中の各オブジェクト（各部品）に差し替えられたバリアブル印刷用画像を表わすバリアブル印刷用画像データを作成する。
【００３０】
図５は、図４に示すバリアブル印刷処理装置における「部品グループ」の設定と部品としての画像を登録する様子を示す図である。
【００３１】
バリアブル印刷処理装置５０に、部品として画像（例えば車の画像）を登録する場合は、部品となる画像１，２，３，…が格納された画像ファイルＧ１，Ｇ２，Ｇ３，…を、そのバリアブル印刷処理装置５０内の部品グループ（車）用フォルダＦ１（登録用ホルダ）にドロップすることにより自動登録する。これにより、部品グループに対する設定が行なわれる。ここでは、その部品グループをシステム内で一意に識別することができるグループＩＤとしてｘｘｘｘ（例えば顧客名）、グループ名として車、グループタイプとして画像、その部品グループが差替えを行なう部位のサイズの大きさを示す数値２００ｘ２００、色の属性を表わすＣＭＹＫ等が設定される。これらの設定された情報（属性）に基づいて部品レイアウト用ＥＰＳ／ＰＤＦファイル（「部品グループ」）を自動生成する。ここでは、差替え対象枠である画像用の部品グループＥＰＳファイルが作成される。この部品グループＥＰＳファイルは編集装置１００に渡される。
【００３２】
図６は、図４に示すバリアブル印刷処理装置における「部品グループ」の設定と部品としてのテキストを登録する様子を示す図である。
【００３３】
バリアブル印刷処理装置５０に、部品としてテキスト（文字列）を登録する場合は、部品となるテキスト１，２，３，…が格納されたテキストファイルＴ１，Ｔ２，Ｔ３，…を、そのバリアブル印刷処理装置５０内の部品グループ（ユーザ名）用フォルダＦ２にドロップすることにより自動登録する。これにより、部品グループに対する設定が行なわれる。ここでは、その部品グループをシステム内で一意に識別することができるグループＩＤとしてｘｘｘｘ、グループ名としてユーザ名、グループタイプとしてテキスト、サイズの大きさを示す数値２００ｘ２００、文字色を示す黒、フォントを示すリュウミンＬ−ＫＬ等が設定される。これらの設定された情報（属性）に基づいて部品レイアウト用ＥＰＳ／ＰＤＦファイルを自動生成する。ここでは、差替え対象枠であるテキスト用の部品グループＰＤＦファイルが作成される。この部品グループＰＤＦファイルも編集装置１００に渡される。
【００３４】
図７は、図４に示すバリアブル印刷処理装置における部品グループのレイアウトを示す図である。
【００３５】
図７の左側には、図５に示す部品グループ（車）用フォルダＦ１の情報に基づいて作成されたＥＰＳファイルと、図６に示す部品グループ（テキスト）用フォルダＦ２の情報に基づいて作成されたＰＤＦファイルが示されている。これらのＥＰＳファイル，ＰＤＦファイルは編集装置１００に渡される。編集装置１００では、汎用のＤＴＰ編集用アプリケーション（編集用ソフトウェア）で、上記ＥＰＳファイル，ＰＤＦファイルを、図７の右側に示すように空白の枠として貼り付ける（場所を確保する）ことにより、バリアブル印刷用の雛形としてのレイアウト編集を行なう。尚、部品グループ以外の部分は従来通りの編集が行なわれる。編集終了後、編集装置１００から雛形となるページを表わすＰＳファイルＦ３を構成するＰＤＦデータがバリアブル印刷処理装置５０に向けて出力される。
【００３６】
図８は、バリアブル印刷処理装置の、編集装置からのＰＤＦデータに基づいて作成されたバリアブル印刷用画像データからなるバリアブル印刷画像を示す図である。
【００３７】
図７で説明したように、編集装置１００から雛形となるページを表わすＰＳファイルＦ３を構成するＰＤＦデータがバリアブル印刷処理装置５０に向けて出力される。ここで、バリアブル印刷処理装置５０には、オブジェクトテーブル作成部５＿１１１（図４参照）で作成された、この図８に示すオブジェクトテーブルＴが備えられている。オブジェクトテーブルＴは、１枚目の印刷用紙に印刷（コピー）するための画像１とテキスト３のペア、２枚目の印刷用紙に印刷するための画像２とテキスト１のペア、３枚目の印刷用紙に印刷するための画像３とテキスト２のペア等を有する。バリアブル印刷処理装置５０は、編集装置１００からの雛形となるページを表わすＰＳファイルＦ３を受け取ると、オブジェクトテーブルＴを参照して、この図８に示すように、１枚目，２枚目，３枚目の印刷用紙それぞれに印刷されるバリアブル印刷用画像を表わすバリアブル印刷用画像データＶ１，Ｖ２，Ｖ３を生成する。バリアブル印刷用画像データＶ１は、画像１を表わす部品データＶ１ａとテキスト３を表わす部品データＶ１ｂを有する。また、バリアブル印刷用画像データＶ２は、画像２を表わす示す部品データＶ２ａとテキスト１を表わす部品データＶ２ｂを有する。さらに、バリアブル印刷用画像データＶ３は、画像３を表わす部品データＶ３ａとテキスト２を表わす部品データＶ３ｂを有する。
【００３８】
図９は、バリアブル処理装置に付随するＧＵＩ（Ｇｒａｐｈｉｃａｌ　Ｕｓｅｒ　Ｉｎｔｅｒｆａｃｅ）により画面上に表示されたオブジェクトテーブルの一例の構造を示す図である。
【００３９】
本実施形態のバリアブル印刷処理装置５０が組み込まれた情報処理装置１０を構成する画像表示装置１２（図２参照）の画面１２ａには、部品の一覧を表わすオブジェクトテーブルＴの一例が表示されている。このオブジェクトテーブルＴは、４種類の部品グループ１，２，３，４から作成されている。部品グループ１は互いに異なる部品Ｇ１−１〜Ｇ１−５で作成されている。また、部品グループ３も互いに異なる部品Ｇ３−５〜Ｇ３−１で作成されている。一方、部品グループ２は、３つの同じ部品Ｇ２−１と、２つの同じ部品Ｇ２−２とで作成されている。また、部品グループ４は、２つの同じ部品Ｇ４−１と、２つの同じ部品Ｇ４−２と、１つの部品Ｇ４−３とで作成されている。このように、オブジェクトテーブルＴを、同一の部品の重複登録を許容して作成したり、部品の種類別に作成してもよい。このようにすると、例えばテキスト（顧客名）のみ差し替えて画像（車）は同一であるバリアブル印刷用画像データを簡単に作成することができる。ここで、同一の部品グループ内であれば、あるバリアブルのコピーページに割り当てられる部品を別のコピーページ内に割り当てることができる。ＧＵＩにより表示された画面１２ａ上でマウスやキーボードにより所望の部品を選択し、ＯＫボタンを指定することにより、所望の部品に差し替えられたオブジェクトテーブルを得ることができる。
【００４０】
【発明の効果】
以上説明したように、本発明によれば、特別な対応を施すことなく汎用のＤＴＰ編集用アプリケーションを用いてバリアブル印刷用データを作成することができる。
【図面の簡単な説明】
【図１】本発明のバリアブル印刷処理装置の一実施形態が組み込まれたシステムを示す図である。
【図２】図１に示す情報処理装置のハードウェア構成図である。
【図３】本発明のバリアブル印刷処理プログラムの一実施形態が記憶されたＣＤ−ＲＯＭを示す概念図である。
【図４】本発明のバリアブル印刷処理装置の一実施形態の構成を示す図である。
【図５】図４に示すバリアブル印刷処理装置における「部品グループ」の設定と部品としての画像を登録する様子を示す図である。
【図６】図４に示すバリアブル印刷処理装置における「部品グループ」の設定と部品としてのテキストを登録する様子を示す図である。
【図７】図４に示すバリアブル印刷処理装置における部品グループのレイアウトを示す図である。
【図８】バリアブル印刷処理装置の、編集装置からのＰＤＦデータに基づいて作成されたバリアブル印刷用画像データからなるバリアブル印刷画像を示す図である。
【図９】バリアブル処理装置に付随するＧＵＩにより画面上に表示されたオブジェクトテーブルの一例の構造を示す図である。
【符号の説明】
１　ＣＰＵ
２　主メモリ
３　ハードディスク装置
４　フレキシブルディスクドライブ
４＿１　フレキシブルディスク
５　ＣＤ−ＲＯＭドライブ
５＿１　ＣＤ−ＲＯＭ
５＿１０　バリアブル印刷処理プログラム
５＿１１　オブジェクトテーブル作成処理ルーチン部
５＿１２　差替え対象枠作成処理ルーチン部
５＿１３　編集済画像データ取得処理ルーチン部
５＿１４　バリアブル印刷用画像データ作成処理ルーチン部
５＿１１１　オブジェクトテーブル作成部
５＿１１２　ＥＰＳ／ＰＤＦファイル作成部
５＿１１３　編集済画像データ取得部
５＿１１４　バリアブル印刷用画像データ作成部
５＿１１５　オブジェクトテーブル管理部
５＿１１６　データ管理部
５＿１１７　部品グループ管理部
６　入力インターフェース
７　出力インタフェース
１０　情報処理装置
１２　画像表示装置
１２ａ　画像表示装置の画面
１３　キーボード
１４　マウス
１５　バス
５０　バリアブル印刷処理装置
１００　編集装置
２００　ＲＩＰ装置
２０１　モニタ
２０２　本体
２０３　プリンタ
【図１】
2004086281.tif 000003
【図２】
2004086281.tif 000004
【図３】
2004086281.tif 000005
【図４】
2004086281.tif 000006
【図５】
2004086281.tif 000007
【図６】
2004086281.tif 000008
【図７】
2004086281.tif 000009
【図８】
2004086281.tif 000010
【図９】
2004086281.tif 000011